(57)【要約】バイオ燃料生産における使用に適する方法、装置および／または供給原料、並びにバイオ燃料組成物。バイオ燃料を製造する方法は、含油微生物由来であり且つＣ１６以下の長さの少なくとも１０重量％の脂肪酸鎖から構成されるグリセリドをハイドロプロセシングすること、および約２０℃以下のコールドフロー流動点を有するバイオ燃料を製造することを含む。【特許請求の範囲】
【請求項１】
バイオ燃料生産に適する供給原料であって、
含油微生物由来のグリセリド；および
Ｃ１６以下の長さの少なくとも約１０重量％の脂肪酸鎖
を含み；
ここで、該供給原料をハイドロプロセシングすることによって生じるバイオ燃料は、約２０℃以下のコールドフロー流動点を含む、供給原料。
【請求項２】
１５℃で約９４０ｋｇ／ｍ３未満の密度を有する、請求項１に記載の供給原料。
【請求項３】
該供給原料をハイドロプロセシングすることによって生じるバイオ燃料が、少なくとも約５０のセタン価を有する、請求項１または請求項２に記載の供給原料。
【請求項４】
該供給原料が、約１００以下のヨウ素価を有する、請求項１〜３のいずれかに記載の供給原料。
【請求項５】
含油微生物が、藻類、真菌、細菌、シアノバクテリアおよびそれらの組み合わせから成る群より選択される少なくとも一つの微生物を含む、請求項１〜４のいずれかに記載の供給原料。
【請求項６】
含油微生物が、Saccharomyces unisporus、Saccharomyces dairensis、Aspergillus nidulans、Sprilulina maxima、Entomorphtoria coronata、Entomorphtoria obscura、Cyclotella cryptica、Navicula muralis、Phaeodactylum triconutum、Thalassiosira pseudonana、遺伝子改変されたSaccharomyces cerevisiae、遺伝子改変されたEscherichia coliおよびそれらの組み合わせから成る群より選択される少なくとも一つの微生物を含む、請求項１〜４のいずれかに記載の供給原料。
【請求項７】
グリセリドが、Ｃ１４以下の長さの少なくとも約１０重量％の脂肪酸鎖を含む、請求項１〜６のいずれかに記載の供給原料。
【請求項８】
グリセリドが、Ｃ１２以下の長さの少なくとも約１０重量％の脂肪酸鎖を含む、請求項１〜６のいずれかに記載の供給原料。
【請求項９】
ディーゼルを含む、請求項１〜８のいずれかに記載の供給原料をハイドロプロセシングすることによって生じるバイオ燃料。
【請求項１０】
ジェット燃料を含む、請求項１〜９のいずれかに記載の供給原料をハイドロプロセシングすることによって生じるバイオ燃料。
【請求項１１】
得られるバイオ燃料が水素化処理プロセスで作られた燃料を含む、請求項９または請求項１０に記載の供給原料をハイドロプロセシングすることによって生じるバイオ燃料。
【請求項１２】
グリセリドが異性化も水素化異性化も受けていない、請求項１１に記載の供給原料をハイドロプロセシングすることによって生じるバイオ燃料。
【請求項１３】
異性化率が２未満である、請求項１〜１２のいずれかに記載の供給原料をハイドロプロセシングすることによって生じるバイオ燃料。
【請求項１４】
バイオ燃料を製造する方法であって、
含油微生物由来であり且つＣ１６以下の長さの少なくとも１０重量％の脂肪酸鎖から構成されるグリセリドをハイドロプロセシングして、約２０℃以下のコールドフロー流動点を有するバイオ燃料を生じさせること
を含む方法。
【請求項１５】
グリセリドが異性化も、水素化異性化も、接触異性化も、有意量の異性化も受けることなく実施される、請求項１４に記載の方法。
【請求項１６】
異性化率が２未満である、請求項１５に記載の方法。
【請求項１７】
含油生物が、Saccharomyces unisporus、Saccharomyces dairensis、Aspergillus nidulans、Sprilulina maxima、Entomorphtoria coronata、Entomorphtoria obscura、Cyclotella cryptica、Navicula muralis、Phaeodactylum triconutum、Thalassiosira pseudonana、遺伝子改変されたSaccharomyces cerevisiae、遺伝子改変されたEscherichia coliおよびそれらの組み合わせから成る群の少なくとも一つを含む、請求項１４〜１６のいずれかに記載の方法。
【請求項１８】
グリセリドがＣ１４以下の長さの少なくとも約１０重量％の脂肪酸鎖を含む、請求項１４〜１７のいずれかに記載の方法。
【請求項１９】
グリセリドがＣ１２以下の長さの少なくとも約１０重量％の脂肪酸鎖を含む、請求項１４〜１７のいずれかに記載の方法。
【請求項２０】
一定量のバイオ燃料を化石由来燃料とブレンドすることを更に含む、請求項１４〜１９のいずれかに記載の方法。
【請求項２１】
バイオ燃料がディーゼルを含む、請求項１４〜２０のいずれかに記載の方法。
【請求項２２】
バイオ燃料がジェット燃料を含む、請求項１４〜２０のいずれかに記載の方法。
【請求項２３】
請求項１４〜２２のいずれかに記載の方法にしたがって製造されるバイオ燃料。
【請求項２４】
バイオ燃料生産に適する供給原料を製造するためのバイオリファイナリーであって、
含油微生物由来であり且つＣ１６以下の長さの少なくとも１０重量％の脂肪酸鎖から構成されるグリセリドをハイドロプロセシングするためのハイドロプロセシングユニットを含み；そして
異性化、または水素化異性化、または接触異性化、または有意量の異性化を行うためのユニットを含まない、バイオリファイナリー。
【発明の詳細な説明】
【技術分野】
【０００１】
背景
技術分野
本発明は、バイオ燃料生産における使用に適する方法、装置および／または供給原料、並びにバイオ燃料生産によって生じるバイオ燃料組成物に関する。
【背景技術】
【０００２】
関連技術の考察
油蓄積性生物由来の天然油は、食料として、健康および栄養において、潤滑剤として、そしてまた燃料として用いられてきた。天然油は、製油用種子作物（例えば、ダイズ、ナタネ、ジャトロファ（jatropha））、動物加工の副産物（例えば、ラードおよび獣脂）、光合成微生物（例えば、藻類、微細藻類、シアノバクテリア）、および従属栄養微生物（例えば、酵母、真菌、カビ類）由来など、多くの供給源を有する。広範囲の供給源は、当然、例えば、脂肪酸飽和レベル、鎖長および不純物を含めた広範囲の製品組成および特性を与える。これら多数の天然油の供給源は、製品特性の改善のための遺伝子工学の適用によって更に拡大されうる。
【０００３】
燃料用途の場合、天然油の重要な誘導体は、グリセリドのエステル交換反応による。食料としてのそれらの普及の結果として、天然油料種子およびそれらの組成物は、工業標準規格となっている。例えば、ナタネ油の組成プロファイルは、生物由来ＦＡＭＥ（脂肪酸メチルエステル）の許容標準規格として認められる。ナタネ油の脂肪酸プロファイルは、１８炭素脂肪酸、特に、不飽和酸が豊富であるというものである。下の表は、ｘ：ｙとしての脂肪酸の内訳を示し、ここで、ｘは炭素数であり、ｙは炭素鎖中の不飽和結合の数である。
【０００４】
【表１】
2014507511.tif 000002
【発明の概要】
【発明が解決しようとする課題】
【０００５】
残念ながら、これら組成の油から作られるバイオディーゼル燃料は、ディーゼル燃料として一定の欠点を有する。下の表に示されるように、ナタネバイオディーゼルの流動点は、比較的高く（−７〜−４℃）、不飽和結合は、酸化的分解を受けて、保存寿命を制限する。ナタネバイオディーゼルの密度は、比較的高く、そしてセタンは、完成石油ディーゼルと一致しており、低級品質の重質材料（例えば、芳香族化合物）をブレンドすることによりディーゼル供給を拡大する能力を制限している。
【０００６】
ナタネ油は、水素化処理もされ得、それによって、グリセリドは、下記などによってパラフィン類へ変換される：
・水素による接触還元（すなわち、Ｃ１８脂肪酸は、ｎＣ１８パラフィン類＋水になり、そしてグリセロールは、プロパン＋水になる）
・接触または熱的脱炭酸（すなわち、Ｃ１８脂肪酸は、ｎＣ１７炭化水素＋ＣＯ２になった後、更に反応して、ｎＣ１７パラフィン類、メタンおよびＣＯとなる）。
【０００７】
水素化処理（hydrotreatment）の際に、典型的には、ナタネ油中の脂肪酸の約半分は、水素化によって反応し、そして他の半分は、脱炭酸によって反応する。どちらの場合も、このプロセスは、優れたセタン（すなわち、＞８０）を有するが不十分なコールドフロー特性を有する直鎖パラフィン類を生成する。更に、（Ｃ１８などの）長い鎖長は、生成物のコールドフロー特性を改善するために、（異性化および／またはクラッキングなどの）さらなる加工を必要とする。
【０００８】
さらなる加工、特に異性化が、コールドフロー特性を改善するために水素化処理の長鎖パラフィン生成物について行われる場合、下の表２の再生可能ディーゼルなどの、改善されたコールドフロー特性を有する燃料がもたらされる。しかしながら、そのようなさらなる加工を行うことによって生じる収率損失は、考慮すべきである。
【０００９】
【表２】
2014507511.tif 000003
【００１０】
したがって、改善された水素化処理用供給原料および最終ディーゼル燃料製品を提供する代替のグリセリド組成物への要求および要望が存在する。
【課題を解決するための手段】
【００１１】
概要
本発明は、バイオ燃料生産における使用に適する方法、装置および／または供給原料、並びにバイオ燃料生産によって生じるバイオ燃料組成物に関する。得られたバイオ燃料は、改善されたコールドフロー特性を有する。更に、本発明の方法は、異性化などのさらなる加工を必要とすることなく効率的である。
【００１２】
いくつかの態様によれば、本発明は、バイオ燃料生産に適する供給原料に関する。その供給原料は、Ｃ１６以下の長さの少なくとも約１０重量％の脂肪酸鎖、および１００グラムの供給原料試料につき約１００グラム以下の消費ヨウ素のヨウ素価を有する、含油（油蓄積性）微生物由来のグリセリドを含む。
【００１３】
いくつかの態様によれば、本明細書中に記載の方法、装置および／または供給原料によって生じるバイオ燃料は、約２０℃以下のコールドフロー流動点（cold-flow pour point）を有する。
【００１４】
いくつかの態様によれば、得られたバイオ燃料は、１５℃で約９４０ｋｇ／ｍ３未満の密度を有する。
いくつかの態様によれば、得られたバイオ燃料は、少なくとも約５０のセタン価を有する。
【００１５】
いくつかの態様によれば、得られたバイオ燃料は、２未満の異性化率を有する。
いくつかの態様によれば、得られたバイオ燃料は、水素化処理プロセスによって作られた燃料を含む。
【００１６】
いくつかの態様によれば、得られたバイオ燃料は、ディーゼル、ジェット燃料、および／または、ディーゼル、ジェット燃料、他のバイオ燃料もしくは石油の任意の組み合わせのブレンドを含む。得られたバイオ燃料は、燃料または燃料添加剤のいずれであってもよい。
【００１７】
いくつかの態様によれば、グリセリドが由来する含油微生物としては、藻類、真菌、細菌および／またはシアノバクテリアが挙げられる。より詳しくは、ある態様において、含油微生物としては、サッカロミセス・ユニスポルス（Saccharomyces unisporus）、サッカロミセス・デイレンシス（Saccharomyces dairensis）、アスペルギルス・ニデュランス（Aspergillus nidulans）、スプリルリナ・マキシマ（Sprilulina maxima）、エントモルフトリア・コロナタ（Entomorphtoria coronata）、エントモルフトリア・オブスクラ（Entomorphtoria obscura）、シクロテラ・クリプティカ（Cyclotella cryptica）、ナビクラ・ムラリス（Navicula muralis）、ファエオダクチルム・トリコヌツム（Phaeodactylum triconutum）、タラシオシラ・シュードナナ（Thalassiosira pseudonana）またはそれらの組み合わせが挙げられる。
【００１８】
いくつかの態様によれば、グリセリドは、Ｃ１４以下の長さの少なくとも約１０重量％の脂肪酸鎖を含む。ある態様において、グリセリドは、Ｃ１２以下の長さの少なくとも約１０重量％の脂肪酸鎖を含む。
【００１９】
いくつかの態様によれば、グリセリドは、異性化も、水素化異性化（hydroisomerization）も、接触異性化も受けず、または少なくとも有意量のグリセリドは、いずれのタイプの異性化も受けない。
【００２０】
いくつかの態様によれば、本発明は、バイオ燃料を製造する方法に関する。その方法は、含油微生物由来であり且つＣ１６以下の長さの少なくとも１０重量％の脂肪酸鎖から構成されるグリセリドをハイドロプロセシング（hydroprocessing）することを含む。その方法は、約２０℃以下のコールドフロー流動点を有するバイオ燃料を製造する。
【００２１】
いくつかの態様によれば、その方法は、グリセリドが異性化も、水素化異性化も、接触異性化も受けることなく、または少なくとも、有意量のグリセリドがいずれのタイプの異性化も受けることなく実施される。
【００２２】
いくつかの態様によれば、その方法は、一定量のバイオ燃料を化石由来燃料とブレンドすることをさらに含む。
いくつかの態様によれば、本発明は、バイオ燃料生産に適する供給原料を製造するためのバイオリファイナリー（biorefinery）に関する。そのバイオリファイナリーは、含油微生物由来であり且つＣ１６以下の長さの少なくとも１０重量％の脂肪酸鎖から構成されるグリセリドをハイドロプロセシングするためのハイドロプロセシングユニットを含む。そのバイオリファイナリーは、異性化または水素化異性化または接触異性化を行うために設計されたいかなるユニットも含まない。
【００２３】
図面の簡単な説明
添付図面は、本発明の態様を詳しく示し、そして説明と一緒に、本発明の特徴、利点および原理を説明するのに役立つ。図面においては以下の通りである：
【図面の簡単な説明】
【００２４】
【図１】図は、いくつかの態様によるバイオリファイナリー内の装置を図式的に示す。
【発明を実施するための形態】
【００２５】
詳細な説明
本発明は、バイオ燃料生産における使用に適する方法、装置および／または供給原料、並びにバイオ燃料生産によって生じるバイオ燃料組成物に関する。いくつかの態様によれば、天然油組成物であって、改善されたコールドフロー特性を有するディーゼル分子の再生可能な生産を可能にするものを製造することができる。いくつかの態様によれば、代替のグリセリド組成物を用いて、改善された水素化処理用供給原料および最終バイオ燃料製品を提供する。より詳しくは、供給源生物の注意深い選択および／または遺伝子工学によって、本明細書中に記載されるようなグリセリド鎖長および飽和レベルは、高収率ハイドロプロセシングおよび良質ディーゼル燃料の生成をもたらすことができる。更に、本発明の方法は、異性化などのさらなる加工を必要とすることなく効率的である。
【００２６】
いくつかの態様によれば、本発明は、バイオ燃料生産に適する再生可能に誘導された供給原料を含む。その供給原料は、含油微生物由来のグリセリドを含んでよい。例えば、含油微生物は、藻類、真菌、細菌、シアノバクテリアまたはこれら微生物の任意の組み合わせを含んでよい。より詳しくは、含油微生物は、Saccharomyces unisporus、Saccharomyces dairensis、Aspergillus nidulans、Sprilulina maxima、Entomorphtoria coronata、Entomorphtoria obscura、Cyclotella cryptica、Navicula muralis、Phaeodactylum triconutum、Thalassiosira pseudonana またはこれら微生物の任意の組み合わせを含んでよい。
【００２７】
いくつかの態様によれば、含油微生物は、遺伝子改変されている。より詳しくは、一定の態様において、微生物は、遺伝子改変された大腸菌（Escherichia coli）またはサッカロミセス・セレビシエ（Saccharomyces cerevisiae）を含んでよい。
【００２８】
グリセリドは、Ｃ１６以下の長さの少なくとも約１０重量％の脂肪酸鎖を含んでよい。いくつかの態様において、グリセリドは、Ｃ１４以下の長さの少なくとも約１０重量％の脂肪酸鎖を含んでよい。いくつかの態様において、グリセリドは、Ｃ１２以下の長さの少なくとも約１０重量％の脂肪酸鎖を含んでよい。Ｃ１８などの長い鎖長を有するグリセリドとは対照的に、本明細書中のより短い鎖長のグリセリドは、得られたバイオ燃料製品のコールドフロー特性を改善するために、異性化または水素化異性化などのさらなる加工を必要とすることなく、水素化処理されうる。
【００２９】
他の態様によれば、Ｃ１６以下などの具体的な長さ以下の長さの脂肪酸鎖の量は、約１０パーセント〜約９５パーセント、約２０パーセント〜約８０パーセント、少なくとも約２０パーセント、少なくとも約３０パーセント、少なくとも約４０パーセント等であってよい。
【００３０】
例えば、下の表は、ナタネ油と比較してかなり異なった脂質プロファイルを有する従属栄養微生物および光合成微生物の例を示す。
【００３１】
【表３−１】
2014507511.tif 000004
【００３２】
【表３−２】
2014507511.tif 000005
【００３３】
表３Ａおよび表３Ｂは、Fats and Oils Handbook; Michael Bockisch; 1998; AOCS Press から転載したものである。
上の表への延長で、脂質形成に関連した代謝経路および対応する遺伝子は、十分に特性決定されている。コア脂質合成遺伝子（エロンガーゼ（elongases）、デサチュラーゼ、シンターゼ、レダクターゼ、デヒドラターゼ（dehydratases）、カルボキシラーゼ等）の活性の修飾は、所望の最適条件に向けた脂質プロファイルの更なる調整につながりうる。
【００３４】
いくつかの態様によれば、供給原料は、１５℃で約９４０ｋｇ／ｍ３未満の密度を有してよい。いくつかの態様において、供給原料は、１５℃で約８３０ｋｇ／ｍ３〜約９３０ｋｇ／ｍ３、または約８４０ｋｇ／ｍ３〜約９２０ｋｇ／ｍ３の密度を有してよい。燃料は、密度ではなく体積で販売されるので、供給原料の比較的低い密度は、得られるバイオ燃料の製造効率を増大させる。
【００３５】
ヨウ素価は、脂肪酸の全不飽和度を示すものである。不飽和結合は、酸化的分解を受け、それは、得られる製品の保存寿命を制限する。いくつかの態様によれば、供給原料は、１００グラムの試料につき約１００グラム以下、または約０〜約５０グラム、または約０〜約２５グラムの消費ヨウ素のヨウ素価を有する。下の表は、前の表に挙げられた同じ生物についてのヨウ素価推定値を与える。ヨウ素価推定値は、モノ不飽和、ジ不飽和およびトリ不飽和含有量および既知の組成物のヨウ素価との相関に基づく。
【００３６】
【表４】
2014507511.tif 000006
【００３７】
上の表に示された主に飽和した脂肪酸およびモノ不飽和脂肪酸の場合などの、より高い飽和レベルは、ファウリングポテンシャル（fouling potential）、並びに、パラフィン類への接触還元によって消費される水素および放出される熱の量を最小限にする。下の表は、典型的な５０％水素化および５０％脱炭酸の反応経路を（１００％変換および５０％のその後のＣＯ２メタン化で）行っているモデル脂質の反応収率および熱作用を示している。
【００３８】
【表５】
2014507511.tif 000007
【００３９】
相対的に高いレベルのより短鎖の脂肪酸（例えば、≦Ｃ１２、Ｃ１４、Ｃ１６）は、製品品質（例えば、コールドフロー特性）を向上させ、そして少量の追加Ｈ２消費の負担で発熱を減少させる。
【００４０】
いくつかの態様によれば、得られたバイオ燃料は、約２０℃以下の、または約１５℃以下の、または約１０℃以下の流動点を有してよい。いくつかの態様によれば、得られたバイオ燃料は、少なくとも約５０、または少なくとも約６０、または少なくとも約７０のセタン価を有してよい。いくつかの態様によれば、得られたバイオ燃料の異性化率は、約２未満、または約１〜約２、または約０〜約１であってよい。再生可能ディーゼルは、水素化異性化前におよそ０のイソ／ノルマル比を有する。参考のために、２に近いイソ／ノルマル比は、曇り点をおよそ２０℃から約０℃に低下させうる。
【００４１】
得られたバイオ燃料は、ディーゼル、ジェット燃料、または他のバイオ燃料および／または石油とのブレンドを含みうる。
いくつかの態様によれば、得られたバイオ燃料を、一定量の化石由来燃料とブレンドする。いくつかの態様において、得られたブレンドは、５％未満のバイオ燃料を含む。いくつかの態様において、得られたブレンドは、５％〜１０％のバイオ燃料を含む。いくつかの態様において、得られたブレンドは、１０％〜２０％のバイオ燃料を含む。他の態様によれば、得られたブレンドは、２０％より多いバイオ燃料を含む。
【００４２】
いくつかの態様によれば、本発明は、バイオ燃料を製造する方法を含む。その方法は、含油微生物由来のグリセリドをハイドロプロセシングすることを含む。例えば、含油微生物は、Saccharomyces unisporus、Saccharomyces dairensis、Aspergillus nidulans、Sprilulina maxima、Entomorphtoria coronata、Entomorphtoria obscura、Cyclotella cryptica、Navicula muralis、Phaeodactylum triconutum、Thalassiosira pseudonana、遺伝子改変されたSaccharomyces cerevisiae、遺伝子改変されたEscherichia coli、またはこれら微生物の任意の組み合わせを含みうる。その方法は、グリセリドが異性化も、水素化異性化も、接触異性化も受けることなく、または少なくとも、有意量のグリセリドがいずれのタイプの異性化も受けることなく実施されうる。本明細書中で言及される場合、「有意量」という用語は、約５％以上のグリセリドが異性化されることを意味する。
【００４３】
グリセリドは、Ｃ１６以下の長さの少なくとも１０重量％の脂肪酸鎖を含む。いくつかの態様において、グリセリドは、Ｃ１４以下の長さの少なくとも約１０重量％の脂肪酸鎖を含んでよい。いくつかの態様において、グリセリドは、Ｃ１２以下の長さの少なくとも約１０重量％の脂肪酸鎖を含んでよい。
【００４４】
次の表は、Ｃ１２〜Ｃ１４の鎖長が、その後の異性化による加工の必要性を排除することを示している。異性化は、追加の高温の水素供給ユニット操作を必要とし、望ましくないクラッキング反応ゆえのガソリンおよび低価値燃料ガスへの＞１０％の収率損失を招きうる。この収率損失は、植物油水素化処理の経済が供給原料費（feed costs）によって支配されるので、特に顕著である。最後に、異性化はコールドフロー特性のために必要ではないので、水素化処理された製品は、それらが異性化された場合よりも良いセタンを有する直鎖パラフィン類を含有する。
【００４５】
【表６】
2014507511.tif 000008
【００４６】
その方法は、約２０℃以下の、または約１５℃以下の、または約１０℃以下の流動点を有するバイオ燃料を製造することをさらに含んでよい。
いくつかの態様によれば、得られたバイオ燃料の異性化率は、約２未満、または約１〜約２、または約０〜約１であってよい。
【００４７】
その方法は、一定量のバイオ燃料を化石由来燃料とブレンドすることをさらに含んでよい。例えば、得られたバイオ燃料は、ディーゼル、ジェット燃料、または他のバイオ燃料および／または石油とのブレンドを含んでよい。
【００４８】
ブレンディング計算を用いて、多数の天然油を水素化処理することによって製造されるパラフィン混合物の流動点を決定することができる。この計算は、純パラフィン成分データを用いる非線形ディーゼルブレンディングモデルに基づく。
【００４９】
【表７】
2014507511.tif 000009
【００５０】
流動指数（Pour Index）（ＰＩ）は、融点（ｍｐ）（華氏度）から次のように計算される。
ＰＩ＝１０（０．０１０５（ｍｐ＋１００））
流動点は、純パラフィン類についての融点に等しいと推定されることに留意すべきである。また、Ｅ． CoronataおよびＥ． Obscuraは、妥当な分布として４０％の合計≦Ｃ１２を有すると推測された。
【００５１】
次の表は、上の表７に挙げた供給原料各々のブレンド流動指数（Blend Pour Index）およびブレンド流動点（Blend Pour Point）を示す。
【００５２】
【表８】
2014507511.tif 000010
【００５３】
【表９】
2014507511.tif 000011
【００５４】
【表１０】
2014507511.tif 000012
【００５５】
ブレンド流動指数（ＢＰＩ）は、各々の供給原料から次のように計算される。
ＢＰＩ＝ＳＵＭＰＲＯＤＵＣＴ（ＰＩＣｎ，ＤＣｎ）／ＳＵＭ（ＤＣｎ）
式中、ＳＵＭＰＲＯＤＵＣＴ（ＰＩＣｎ，ＤＣｎ）＝ＰＩＣ１  ＊  ＤＣ１＋  …  ＋ＰＩＣｎ  ＊  ＤＣｎおよびＳＵＭ（ＤＣｎ）＝ＤＣ１＋  …  ＋ＤＣｎである。
【００５６】
ブレンド流動点（ＢＰＰ）（華氏度）は、次のように計算される。
ＢＰＰ＝Ｌｏｇ１０（ＢＰＩ）／０．０１０５−１００
ＢＰＰ（摂氏度）は、摂氏から華氏への標準変換を用いて計算される。
【００５７】
Ｆ＝（９／５）Ｃ＋３２
前の三つの表の内、供給原料の５０％脱炭酸についての表１０のデータは、再生可能ディーゼルの水素化処理中の実際の知見に最も近い。ヤシ油の流動点は、いくつかの非常に短いパラフィン鎖および僅かしかない非常に長い鎖ゆえに最も低い。Ｅ． coronateおよびＥ． obscura生物は、典型的なダイズ、パームまたはナタネの製品とほぼ同程度および有意にそれより良好である。
【００５８】
図は、一つの態様によるバイオリファイナリー内の装置１０を図式的に示している。装置１０は、ハイドロプロセシングユニット１２を、再生可能に誘導される供給原料１４およびバイオ燃料製品１６と共に含む。ハイドロプロセシングユニット１２は、含油微生物由来のグリセリドをハイドロプロセシングするために設計されている。それらグリセリドは、Ｃ１６以下の長さの少なくとも１０重量％の脂肪酸鎖から構成されてよい。それらグリセリドの比較的短い鎖長ゆえに、バイオリファイナリーが、異性化、または水素化異性化、または接触異性化、または有意量の異性化を行うためのいずれかのユニットを含む必要はない。
【００５９】
脂質は、油、脂肪、ロウ、グリース、コレステロール、グリセリド、ステロイド、ステロール、イソプレノイド、ホスファチド、セレブロシド、脂肪酸、脂肪酸関連化合物、誘導化合物、他の油状物質等を意味する。脂質は、生きている細胞中で作られうるが、比較的低い酸素含量で比較的高い炭素含量および比較的高い水素含量を有しうる。脂質は、典型的には、質量または体積基準などで、比較的高いエネルギー含量を含む。
【００６０】
生物油は、熱分解油を含めた、動物、植物、真菌、酵母、藻類、微細藻類、細菌等の生きている生物に少なくとも一部は由来する脂質材料および／または物質を意味する。生物油は、脂質、トリグリセリド、ジグリセリド、モノグリセリド、脂肪酸、イソプレノイド、ステロールおよびステロールエステルを含む。いくつかの態様によれば、生物油は、再生可能材料および／またはバイオ燃料としての使用および／またはそれへの変換に適することがありうる。
【００６１】
再生可能材料は、天然の生態循環および／または資源によって交換されることが可能な供給源および／またはプロセスに少なくとも部分的に由来している物質および／または品目を意味する。再生可能材料は、化学薬品、化学中間体、溶媒、モノマー、オリゴマー、ポリマー、バイオ燃料、バイオ燃料中間体、バイオガソリン、バイオガソリンブレンドストック、バイオディーゼル、グリーンディーゼル、再生可能ディーゼル、バイオディーゼルブレンドストック、生物留出物（biodistillates）等を含みうる。いくつかの態様において、再生可能材料は、植物、藻類、細菌、真菌等の生きている生物由来でありうる。
【００６２】
バイオ燃料は、再生可能な供給源に少なくとも一部は由来する燃料および／または燃焼源としての使用に適する成分および／または流れ（streams）を意味する。バイオ燃料は、化石燃料と比較した時などに、持続可能に製造され、かつ／または大気への減少した正味炭素排出を有し、かつ／または正味炭素排出がないことがありうる。いくつかの態様によれば、再生可能な供給源は、地下などから採掘または掘削された材料を除外することがありうる。いくつかの態様において、再生可能な資源は、単細胞生物、多細胞生物、植物、真菌、細菌、藻類、栽培作物、非栽培作物、木材等を含みうる。バイオ燃料は、陸上車両、海洋船、航空機等における使用などのための、輸送燃料としての使用に適することがありうる。バイオ燃料は、蒸気を上げること、適切な熱媒体でエネルギーを交換すること、合成ガスを発生させること、水素を発生させること、電気を作ること等の、発電における使用に適することがありうる。
【００６３】
バイオディーゼルは、直接使用に、並びに／あるいは再生可能な供給源由来のディーゼルプールおよび／またはセタン供給物へとブレンドするのに適する成分または流れを意味する。適切なバイオディーゼル分子には、脂肪酸エステル、モノグリセリド、ジグリセリド、トリグリセリド、脂質、脂肪アルコール、アルカン、ナフサ、留出物範囲材料（distillate range materials）、パラフィン系材料、芳香族材料、脂肪族化合物（直鎖状、分枝状および／または環状）等が含まれうる。バイオディーゼルは、自動車ディーゼル内燃機関、トラックヘビーデューティディーゼルエンジン等の圧縮着火エンジンにおいて用いられうる。別の場合、バイオディーゼルは、ガスタービン、ヒーター、ボイラー等においても用いられうる。いくつかの態様によれば、バイオディーゼルおよび／またはバイオディーゼルブレンドは、Ｂ１、Ｂ２（Minnesota）、Ｂ５、Ｂ７（ＥＵ）、Ｂ１０、Ｂ２０、Ｂ４０、Ｂ６０、Ｂ８０、Ｂ９９．９、Ｂ１００等の工業的に許容された燃料標準規格を満たすかまたはそれにしたがう。
【００６４】
生物留出物は、直接使用に、および／または航空燃料（ジェット）、潤滑剤基材、ケロシン燃料、燃料油等へとブレンドするのに適する成分または流れを意味する。生物留出物は、再生可能な供給源由来であることができ、約１００℃〜約７００℃、約１５０℃〜約３５０℃等の沸点範囲などの任意の適切な沸点範囲を有する。
【００６５】
供給原料は、生物、機械、プロセス、生産プラント等へ供給する、送る、提供する等のために用いられる材料および／または物質を意味する。供給原料には、変換、合成等に用いられる原料が含まれうる。いくつかの態様によれば、供給原料には、糖、ヘキソース、ペントース、単糖類、二糖類、三糖類、オリゴ糖類、ポリオール（糖アルコール）、有機酸、デンプン、炭水化物、セルロース、ヘミセルロース、バイオマス等の、生物による消費に適する任意の材料、化合物、物質等が含まれうる。いくつかの態様によれば、供給原料には、スクロース、グルコース、フルクトース、キシロース、グリセロール、マンノース、アラビノース、ラクトース、ガラクトース、マルトース、他の五炭糖、他の六炭糖、他の十二炭糖、糖を含有する植物抽出物、他の粗糖等が含まれうる。供給原料は、供給原料中に存在する場合の上に挙げられた一つ以上の有機化合物を意味することもありうる。
【００６６】
いくつかの態様によれば、方法および／またはプロセスは、栄養素、ビタミン類、無機質、金属、水等の、生物を助けるおよび／または助けとなる他の材料および／または物質の添加を含みうる。消泡剤、凝集剤、乳化剤、解乳化剤、粘度上昇剤、粘度降下剤、界面活性剤、塩類、他の流動修飾材料等の他の添加剤の使用も、本発明の範囲内である。
【００６７】
有機化合物は、炭水化物、糖類、ケトン、アルデヒド、アルコール、リグニン、セルロース、ヘミセルロース、ペクチン、他の炭素含有物質等の炭素含有化合物を意味する。
いくつかの態様によれば、供給原料は、一つ以上の供給路を用いて発酵中へ供給する（fed）ことができる。いくつかの態様において、供給原料は、接種前の容器に充填された培地中に存在することができる。いくつかの態様において、供給原料は、容器に充填された培地のほかに、一つ以上の供給流によって加えることができる。
【００６８】
脂肪酸は、遊離型または、脂肪および脂肪油中のグリセリドの形態などの、飽和および／または不飽和のモノカルボン酸を意味する。グリセリドには、アシルグリセリド、モノグリセリド、ジグリセリド、トリグリセリド、トリアシルグリセリド、脂質、リン脂質、糖脂質、スルホリピド等が含まれうる。
【００６９】
二重結合は、分子内の２個の原子によって共有される２対の電子を意味する。
生物油は、エステル化、エステル交換反応、水素化、クラッキング等の任意の適切な方法でバイオ燃料へと更に加工することができる。別の場合、生物油は、バイオ燃料としての直接使用に適することがありうる。エステル化は、酸をアルコールと反応させてエステルを形成することなどにより、エステルを作ることおよび／または形成することを意味する。エステル交換反応は、例えば、脂肪酸エステルおよびグリセロールを形成するアルコールとトリグリセリドとの反応などにより、一つのエステルを一つ以上の異なるエステルへと変化させることを意味する。水素化および／または水素化処理することは、材料を飽和させるおよび／または還元するなどのために、水素を分子に加える反応を意味する。
【００７０】
エステル交換反応は、メタノール、エタノール、プロパノール、ブタノール等の任意の適切なアルコールの使用を含みうる。
得られたバイオ燃料は、国際標準規格ＥＮ１４２１４：２００８（自動車燃料、ディーゼルエンジン用の脂肪酸メチルエステル（ＦＡＭＥ））および／またはＡＳＴＭ  Ｄ６７５１−０９（Standard Specification for Biodiesel Fuel Blend Stock (B100) for Middle Distillate Fuels）を満たすおよび／または越えることができる。ＥＮ１４２１４：２００８およびＡＳＴＭ  Ｄ６７５１−０９の全ての内容は、双方とも、本明細書中に本明細書の一部分としてそのまま援用される。
【００７１】
いくつかの態様によれば、方法および／またはプロセスは、加熱、冷却等による温度制御を含むことができる。熱は、蒸気、飽和流、過熱流、熱水、グリコール、熱媒油、熱媒液、他のプロセス流等によって供給することができる。冷却は、冷却水、冷媒、ブライン、グリコール、熱媒液、冷却液、他のプロセス流等を冷却することによって供給することができる。温度制御は、間接熱交換、直接熱交換、対流、伝導、輻射等の任意の適切な技術および／または構成を用いることができる。
【００７２】
方法またはプロセスにおける工程についての順序、数、配列、省略および／または反復限界に関して、起草者は、特に断らない限り、本発明の範囲に対し、それら工程についての黙示の順序、数、配列、省略および／または反復限界を意図しない。
【００７３】
範囲に関して、範囲は、例えば、上限および／または下限を有さない範囲を含めた、上方値と下方値との間に含まれる全ての可能な範囲への支持を提供するように、上方値と下方値との間の全ての点を含むと解釈されるべきである。
【００７４】
操作、百分率および手順についての基準は、質量基準、体積基準、モル基準等の任意の適切な基準に基づくことができる。基準が明記されていない場合、質量基準または他の適当な基準を用いるべきである。
【００７５】
開示された構造および方法において、本発明の範囲または精神から逸脱することなく、種々の修飾および変更を行うことができるということは、当業者に明らかであろう。具体的には、いずれかの態様の説明は、他の態様の説明と自由に組み合わせて、二つ以上の要素および／または制限の組み合わせおよび／または変更をもたらすことができる。本発明の他の態様は、本明細書中に開示された発明の明細および実施の考察から当業者に明らかであろう。明細書および実施例は単に例示するものと考えられ、発明の真の範囲および精神は特許請求の範囲によって示されることが意図される。
【図１】
2014507511.tif 000013
【国際調査報告】
2014507511.tif 000014
2014507511.tif 000015
2014507511.tif 000016